(57)【要約】      （修正有）【課題】水盤と貯水容器の組み合わせを基本とした自然的に一定の設定水位を保つ植物栽培用の定水位給水装置である自動給水植木鉢用水盤において、液体中に蚊等の害虫の侵入を防止できる上記水盤及び水深を任意に変化できる自動給水植木鉢用水盤を利用者に提供する。【解決手段】水盤１に蓋１４を取り付ける、または上記水盤１を一体成形の天井板付成形水盤として作り上記蓋１４または天井板に植木鉢貫通用穴１２と注水筒通用穴１３を設け、ツバ付注水筒と中空キャップ及び貯水容器からなる水深調整機能装置を製作する。【選択図】図１
2015092862.tif 000002
【特許請求の範囲】
【請求項１】
構成として水盤に蓋または天井板を取り付け植木鉢貫通用穴と注水筒通用穴を設けた自動給水植木鉢用水盤。
【請求項２】
構成としてツバ付注水筒と中空キャップよりなる水深調整機能を着脱方式により貯水容器に装着した自動給水植木鉢用水盤。
【発明の詳細な説明】
【技術分野】
【０００１】
本発明は、植木鉢栽培において水盤と貯水容器の組み合わせを基本とした自然的に一定の水位を保つ定水位給水装置に係る物品である。
【背景技術】
【０００２】
従来からある陶器で製作された電気が不要の鶏用自動式水飲み器の原理の応用品であって例えば下記参考文献等のものが開発されているが、従来の水盤に相当する場所については、空中に露出している部分があるため蚊の発生等があり、また本出願の各請求項に記載の先行技術については、存在しなかった。
【先行技術文献】
【特許文献】
【０００３】
【特許文献１】特開昭５８−１８７１２２号公報
【特許文献２】特開平１０−２９５２０８号公報
【特許文献３】特開平１１−２８９９８１号公報
【特許文献４】特開平１１−３１８２１６号公報
【特許文献５】特開２００５−２３７２１０号公報
【発明の概要】
【発明が解決しようとする課題】
【０００４】
請求項１についての課題は、水盤と貯水容器の組み合わせを基本とした自然的に一定の設定水位を保つ植物栽培用の定水位給水装置である自動給水植木鉢用水盤において、液体中に蚊等の害虫の侵入を防止出来、水分の余分な蒸発も抑制出来る上記水盤を利用者に提供出来る事を、解決しようとする課題とする。
【０００５】
請求項２についての課題は、請求項１に記載の自動給水植木鉢用水盤の水深を任意に変化できる様に貯水容器の注水筒において内径と長さを任意の寸法に変更できる上記貯水容器を利用者に提供出来る事を、解決しようとする課題とする。
【課題を解決するための手段】
【０００６】
請求項１の課題を解決するための手段は、水盤(1)と貯水容器(2)の組み合わせを基本とした自然的に一定の設定水位(3)を保つ植物栽培用の定水位給水装置(4)である自動給水植木鉢用水盤(5)において蚊等の害虫の侵入を防止できる様に上記自動給水植木鉢用水盤(5)を密閉可能な構造にする。構成としては上記水盤(1)に蓋(14)を取り付ける、または上記水盤(1)を一体成形の天井板付成形水盤(20)として作り上記蓋(14)または天井板(21)に植木鉢貫通用穴(12)と注水筒通用穴(13)を設ける。上記水盤(1)を上記自動給水植木鉢用水盤(5)として使用する場合に植木鉢(11)の外形に付いて上記自動給水植木鉢用水盤(5)に設置した時に植木鉢貫通用穴(12)に軽く接触するものを使用する、また上記貯水容器(2)については上記注水筒通用穴(13)を塞ぐ様に設置する。
【０００７】
請求項２の課題を解決するための手段は、任意の内径と寸法の長さに製作した注水筒(6)の先端に帽子のツバ状のツバ(7)を付けたツバ付注水筒(8)を複数用意し、必要に応じ上記ツバ付注水筒(8)を交換可能な貯水容器(2)の構造にする。上記貯水容器(2)の構成については、上記貯水容器(2)とツバ付注水筒(8)を間接的に連結する印籠による着脱可能な柔軟性プラスチック中空キャップを用意し、上記中空キャップ(9）の中空部(10)に任意の寸法の内径と長さのツバ付注水筒(8)を挿入して上記貯水容器(2)に装着する。ツバ付注水筒(8)を交換する場合は上記貯水容器(2)から上記中空キャップ(9）を外しての中空部(10)の内径をツバ付注水筒(8)の内径に合う様に加工して行う。
【発明の効果】
【０００８】
請求項１についての効果は、請求項１に記載の発明品を具現化する事により水盤と貯水容器の組み合わ せを基本とした自然的に一定の設定水位を保つ植物栽培用の定水位給水装置である自動給水植木鉢用水盤において害虫の侵入を防止出来、水分の余分な蒸発も抑制出来る上記水盤が出来る効果がある。
【０００９】
請求項２についての効果は、請求項２に記載の発明品を具現化する事により自動給水植木鉢用水盤の水深を変化できる様に貯水容器の注水筒において内径と長さを任意の寸法に変更できるものを利用者に提供出来る効果がある。
【図面の簡単な説明】
【００１０】
【図１】は、請求項１の課題を解決するための手段による自動給水植木鉢用水盤(5)の正面図を表す。
【図２】は、図１の側面図を表す。
【図３】は、図１の平面図を表す。
【図４】は、図３のＡ−Ａ線断面図を表す。
【図５】は、図１の自動給水植木鉢用水盤(5)に植木鉢(11)及び液体の充填された貯水容器(2)を設置した状態の断面図を表す。
【図６】は、請求項２の課題を解決するための手段による貯水容器(2)の左側正面図及び右側断面図を示し、水盤(1)は一体成形の蓋付成形水盤(20)を表す、また注水筒(6）については延長ホース等の差し込みも可能である。
【発明を実施するための形態】
【００１１】
本出願において請求項１の形態は、水盤(1)、貯水容器(2)、蓋(14)、液体(15)、を用意し水盤(1)と蓋(14)は接着剤にて結合し貯水容器(2)についてはトックリ型(図５参照)を使用した。植木鉢の外形に付いては、自動給水植木鉢用水盤に設置した時に植木鉢貫通用穴に軽く接触するものを使用した。
本出願において請求項２の形態は、図６の貯水容器(2)で示す構成にて行い、予め中空キャップ(9)にツバ付注水筒(8)を取り付けたものを壷型の透明容器に接続し完成したが、注水筒(6）については内径１０ＭＭのものを取り付けた。
【実施例】
【００１２】
請求項１について図５の構成により貯水容器(2)はトックリ型透明製を使用し草花栽培を実施した。請求項２の実施例は予め壷型の透明容器に水を充填して中空キャップ(9)にツバ付注水筒(8)を取り付けたものを上記透明容器に接続し天井板付成形水盤(20)に設置して草花栽培を実施した。
【産業上の利用可能性】
【００１３】
本願の自動給水植木鉢用水盤を使用して植木鉢栽培において容易に植物栽培が可能となるので産業上の利用可能性がある。
【符号の説明】
【００１４】
水盤(1)、貯水容器(2)、設定水位(3)、定水位給水装置(4)、自動給水植木鉢用水盤(5)、注水筒(6）、ツバ(7)、ツバ付注水筒(8)、中空キャップ(9)、中空部(10)、植木鉢(11)、植木鉢貫通用穴(12)、注水筒通用穴(13)、蓋(14)、液体(15)、貯水容器内液面(16)、植物(17)、培養土(18)、液面(19)、天井板付成形水盤(20)、天井板(21)、印籠(22)、
【図１】
2015092862.tif 000003
【図２】
2015092862.tif 000004
【図３】
2015092862.tif 000005
【図４】
2015092862.tif 000006
【図５】
2015092862.tif 000007
【図６】
2015092862.tif 000008